(57)【要約】      （修正有）【課題】取り扱いが容易でかつ場所をとることなく着物を吊り下げることができる着物用ハンガーを提供する。【解決手段】フック部１１０と第１の枠体部と第２の枠体部とが同一の平面に含まれる外枠部１３０と、互いに平行で同じ長さを有する直線状の第１の下側吊り下げ杆１６０ａ及び直線状の第２の下側吊り下げ杆１６０ｂであって、平面を中心にして互いに離隔した位置に配置され、着物の右袖の振り及び左袖の振りのうちの一方の振りが係合される第１の下側吊り下げ杆１６０ａと他方の振りが係合される第２の下側吊り下げ１６０ｂと、第２の枠体部に対して直角にかつ第１の枠体部に平行に延在し、第１の下側吊り下げ杆１６０ａ及び第２の下側吊り下げ杆１６０ｂと同じ長さを有し、第１の枠体部と第１の下側吊り下げ杆１６０ａ及び第２の下側吊り下げ杆１６０ｂとの間に配置された上側吊り下げ杆とを備える。【選択図】図１４
2020121191.tif 000002
【特許請求の範囲】
【請求項１】
吊り下げ部材に係合させるための係合部を有するフック部が接続された直線状の第１の枠体部と、前記第１の枠体部に対して直角に接続される直線状の第２の枠体部とを有する外枠部であって、前記フック部と前記第１の枠体部と前記第２の枠体部とが同一の平面に含まれる外枠部と、
前記第２の枠体部に対して直角に接続され、前記第１の枠体部に平行に延在し、前記第１の枠体部よりも長い長さを有し、互いに平行で同じ長さを有する直線状の第１の下側吊り下げ杆及び直線状の第２の下側吊り下げ杆であって、前記平面を中心にして互いに離隔した位置に配置され、着物の右袖の振り及び左袖の振りのうちの一方の振りが係合される第１の下側吊り下げ杆と他方の振りが係合される第２の下側吊り下げと、
前記第２の枠体部に対して直角にかつ前記第１の枠体部に平行に延在し、前記第１の下側吊り下げ杆及び前記第２の下側吊り下げ杆と同じ長さを有し、前記第１の枠体部と前記第１の下側吊り下げ杆及び前記第２の下側吊り下げ杆との間に配置された上側吊り下げ杆と、を備えた着物を吊り下げ可能な着物用ハンガー。
【請求項２】
前記平面から前記第１の下側吊り下げ杆までの距離と、前記平面から前記第２の下側吊り下げ杆までの距離と、が同じである請求項１に記載の着物用ハンガー。
【発明の詳細な説明】
【技術分野】
【０００１】
着物（和服）を吊り下げるための着物用ハンガーに関する。
【背景技術】
【０００２】
着物用ハンガーとして、上段のバーと、上段のバーよりも短い２本の下段のバーと、斜めに配置されたアームとを有するものが知られている（例えば、特許文献１及び２参照）。また、和服を収納するための収納ハンガーも知られている（例えば、特許文献３参照）。
【先行技術文献】
【特許文献】
【０００３】
【特許文献１】特開２００６−１０２４８４号公報
【特許文献２】実公平４−６６１３号公報
【特許文献３】特開２００３−１１６７０１号公報
【発明の概要】
【発明が解決しようとする課題】
【０００４】
前述した着物用ハンガーは、斜めに配置されたアームを有し、ハンガーの全体が大きくならざるを得なかった。また、上段のバーの長さと下段のバーの長さが異なり、取り扱いが煩雑にならざるを得なかった。また、和服を収納するための収納ハンガーは、可動するフレームを有し、一定の形状や大きさを有するものでなく、取り扱いが煩雑にならざるを得なかった。
【０００５】
本発明は、上述の点に鑑みてなされたものであり、その目的とするところは、取り扱いが容易でかつ場所をとることなく着物を吊り下げることができる着物用ハンガーを提供することにある。
【課題を解決するための手段】
【０００６】
本発明による着物用ハンガーの特徴は、
直線状の第１の枠体部と、前記第１の枠体部に対して直角に接続される直線状の第２の枠体部とを有する外枠部と、
前記第２の枠体部に対して直角に接続され、前記第１の枠体部に平行に延在し、互いに平行で同じ長さを有する直線状の第１の下側吊り下げ杆及び直線状の第２の下側吊り下げ杆と、を備えることである。
【発明の効果】
【０００７】
取り扱いが容易でかつ場所をとることなく着物を吊り下げることができる。
【図面の簡単な説明】
【０００８】
【図１】第１の実施の形態による着物用ハンガーの全体を示す斜視図である。
【図２】第１の実施の形態による着物用ハンガーの全体を示す正面図である。
【図３】第１の実施の形態による着物用ハンガーの全体を示す平面図である。
【図４】第１の実施の形態による着物用ハンガーの全体を示す底面図である。
【図５】第１の実施の形態による着物用ハンガーの全体を示す左側面図である。
【図６】第１の実施の形態による着物用ハンガーの全体を示す右側面図である。
【図７】本だたみの過程を示す概略図である。
【図８】第１の実施の形態による着物用ハンガーを着物に装着する過程を示す斜視図である。
【図９】第１の実施の形態による着物用ハンガーを着物に装着する過程を示す斜視図である。
【図１０】第１の実施の形態による着物用ハンガーを着物に装着する過程を示す斜視図である。
【図１１】第１の実施の形態による着物用ハンガーによって着物を吊り下げた状態を示す図である。
【図１２】検出用直線状部１２０を使って吊り下げ部材に着物用ハンガーを吊り下げる過程を示す概略図である。
【図１３】接続部１３４を天面に当接させた状態を示す概略図である。
【図１４】第２の実施の形態による着物用ハンガーの全体を示す斜視図である。
【図１５】第２の実施の形態による着物用ハンガーの全体を示す正面図である。
【図１６】第２の実施の形態による着物用ハンガーの全体を示す平面図である。
【図１７】第２の実施の形態による着物用ハンガーの全体を示す底面図である。
【図１８】第２の実施の形態による着物用ハンガーの全体を示す左側面図である。
【図１９】第２の実施の形態による着物用ハンガーの全体を示す右側面図である。
【図２０】第２の実施の形態による着物用ハンガーによって着物を吊り下げた状態を示す図である。
【発明を実施するための形態】
【０００９】
＜＜＜＜本実施の形態の概要＞＞＞＞
【００１０】
＜＜第１の実施の態様＞＞
第１の実施の態様によれば、
直線状の第１の枠体部（例えば、後述する水平枠体部１３２など）と、前記第１の枠体部に対して直角に接続される直線状の第２の枠体部（例えば、後述する鉛直枠体部１３６など）とを有する外枠部（例えば、後述する外枠部１３０など）と、
前記第２の枠体部に対して直角に接続され、前記第１の枠体部に平行に延在し、互いに平行で同じ長さを有する直線状の第１の下側吊り下げ杆（例えば、後述する第１の下側吊り下げ杆１６０ａなど）及び直線状の第２の下側吊り下げ杆（例えば、後述する第２の下側吊り下げ杆１６０ｂなど）と、を備える着物用ハンガーが提供される。
【００１１】
第１の実施の態様による着物用ハンガーは、外枠部と第１の下側吊り下げ杆と第２の下側吊り下げ杆とを備える。外枠部は、第１の枠体部と第２の枠体部とを有する。第１の枠体部及び第２の枠体部は、ともに、直線状の形状を有する。第２の枠体部は、第１の枠体部に対して略直角に接続される。すなわち、第１の枠体部と第２の枠体部とのなす角は略９０度である。
【００１２】
第１の下側吊り下げ杆及び第２の下側吊り下げ杆は、ともに、直線状の形状を有する。第１の下側吊り下げ杆及び第２の下側吊り下げ杆は、互いに平行で同じ長さを有する。さらに、第１の下側吊り下げ杆及び第２の下側吊り下げ杆は、第２の枠体部に対して直角に接続されるとともに、第１の枠体部に平行に延在する。
【００１３】
すなわち、第１の枠体部、第１の下側吊り下げ杆及び第２の下側吊り下げ杆は、第２の枠体部に対して垂直に接続され、かつ、互いに平行に配置される。第１の下側吊り下げ杆及び第２の下側吊り下げ杆には、着物の左右の袖の一方ずつが係合される。第１の枠体部、第１の下側吊り下げ杆及び第２の下側吊り下げ杆を、このように配置することによって、着物用ハンガーの全体を小型化することができる。
【００１４】
第１の枠体部を、第１の下側吊り下げ杆及び第２の下側吊り下げ杆と平行に配置したことにより、着物用ハンガーを着物に装着する過程で、第１の枠体部と、第１の下側吊り下げ杆及び第２の下側吊り下げ杆との間隙に着物の後身頃を位置づけて、さらに、後身頃を第１の枠体部によって案内して第１の下側吊り下げ杆及び第２の下側吊り下げ杆に近づくように導くことができる。したがって、着物用ハンガー１００を移動し終わったときには、後身頃を第１の下側吊り下げ杆及び第２の下側吊り下げ杆から離隔することなく密着させた状態にすることができ、第１の下側吊り下げ杆及び第２の下側吊り下げ杆を基準にして後身頃を容易に折りたたむことができる。
【００１５】
このような構成としたことで、取り扱いが容易でかつ場所をとることなく着物を吊り下げることができる着物用ハンガーを提供することができる。
【００１６】
また、第１の実施の態様において、
第１の枠体部、第１の下側吊り下げ杆及び第２の下側吊り下げ杆が、同じ方向に向かって延在するのが好ましい。より小型化することができる。
【００１７】
さらに、第１の実施の態様において、
第１の下側吊り下げ杆及び第２の下側吊り下げ杆は、第１の枠体部及び第２の枠体部を含む平面から互いに離隔した位置に配置されるのが好ましい。着物の左右の袖の一方ずつを係合したときに重さのバランスを図り易くできる。
【００１８】
＜＜第２の実施の態様＞＞
【００１９】
第２の実施の態様は、第１の実施の態様において、
前記第２の枠体部に対して直角にかつ前記第１の枠体部に平行に延在し、前記第１の下側吊り下げ杆及び前記第２の下側吊り下げ杆と同じ長さを有し、前記第１の枠体部と前記第１の下側吊り下げ杆及び前記第２の下側吊り下げ杆との間に配置された上側吊り下げ杆（例えば、後述する上側吊り下げ杆１５０など）を、さらに備えるように構成される。
【００２０】
第２の実施の態様による着物用ハンガーは、上側吊り下げ杆をさらに備える。上側吊り下げ杆は、第２の枠体部に対して直角に配置され、第１の枠体部に平行に延在する。上側吊り下げ杆は、第１の下側吊り下げ杆及び第２の下側吊り下げ杆と同じ長さを有する。上側吊り下げ杆は、第１の枠体部と第１の下側吊り下げ杆及び第２の下側吊り下げ杆との間に配置される。
【００２１】
第１の下側吊り下げ杆及び第２の下側吊り下げ杆だけでなく、上側吊り下げ杆をさらに備えることで、着物の重さを分散させて吊るすことができ、重めの着物でも的確に吊り下げることができる。
【００２２】
＜＜第３の実施の態様＞＞
【００２３】
第３の実施の態様は、第１の実施の態様又は第２の実施の態様において、
吊り下げ部材（例えば、後述するクローゼットや洋箪笥などに水平方向に延設されたパイプなどの他、ポールハンガーや、ハンガーラックや、ハンガー掛けフックや、ウォールハンガーなどのハンガーを掛けるための部材や家具など）に係合させるための係合部（例えば、後述する係合用湾曲部１１２など）と、
前記係合部に接続されかつ前記第１の枠体部に対して直角に接続される直線状の検出部（例えば、後述する検出用直線状部１２０など）と、を有するフック部（例えば、後述するフック部１１０など）をさらに備え、
前記検出部は、前記係合部に対して開放された開放領域（例えば、後述する開放領域ＯＲなど）を有し、前記吊り下げ部材を接触により検出可能に構成される。
【００２４】
第３の実施の態様による着物用ハンガーは、フック部をさらに備える。フック部は、係合部と検出部とを有する。係合部は、吊り下げ部材に係合させるための部分である。例えば、係合部は、略Ｃ字状や略Ｕ字状の形状を有するものが好ましい。
【００２５】
検出部は、直線状の形状を有する。検出部は、吊り下げ部材の存在や位置を検出するための部分である。検出部は、係合部に接続されかつ第１の枠体部に対して略直角に接続される。すなわち、検出部と第１の枠体部とのなす角は略９０度である。
【００２６】
検出部を設けたことにより、検出部によって吊り下げ部材の存在や位置を検出することができ、吊り下げ部材が存在する位置に応じて、着物用ハンガーの位置を調節することで、着物用ハンガーを吊り下げ部材に掛けやすくできる。
【００２７】
＜＜第４の実施の態様＞＞
第４の実施の態様は、第３の実施の態様において、
前記検出部の長さ（例えば、後述する検出用直線状部１２０の長さＤＬなど）が、前記検出部に沿った前記係合部の長さ（例えば、後述する係合用湾曲部１１２の高さＦＨなど）以上であるように構成される。
【００２８】
第３の実施の態様による着物用ハンガーは、検出部の長さが、検出部に沿った係合部の長さ以上である。このようにすることで、吊り下げ部材を容易に検出することができる。
【００２９】
＜＜＜＜第１の実施の形態の詳細＞＞＞＞
以下に、第１の実施の形態について図面に基づいて説明する。
【００３０】
図１は、第１の実施の形態による着物用ハンガー１００の全体を示す斜視図である。図２は、第１の実施の形態による着物用ハンガー１００の全体を示す正面図である。図３は、第１の実施の形態による着物用ハンガー１００の全体を示す平面図である。図４は、第１の実施の形態による着物用ハンガー１００の全体を示す底面図である。図５は、第１の実施の形態による着物用ハンガー１００の全体を示す左側面図である。図６は、第１の実施の形態による着物用ハンガー１００の全体を示す右側面図である。
【００３１】
着物用ハンガー１００は、着物（和服を意味し、以下、単に着物と称する。）を吊り下げて収納するための部材である。具体的には、着物用ハンガー１００は、着物を本だたみしながら着物用ハンガー１００を装着し、本だたみされた着物を吊り下げるためのハンガーである。着物用ハンガー１００は、着物が吊り下げられた状態で、クローゼットや洋箪笥などに水平方向に延設されたパイプなどの他、ポールハンガーや、ハンガーラックや、ハンガー掛けフックや、ウォールハンガーなどのハンガーを掛けるための部材や家具（以下、吊り下げ部材と称する。）に掛けることができる。なお、一般に、箪笥には、洋箪笥と和箪笥とがあるが、第１の実施の形態による着物用ハンガー１００は、着物を吊り下げた状態で使用するものであり、和箪笥ではなく、水平方向に設けられたパイプなどを備えた洋箪笥を、着物の収納に使用する箪笥として用いるものとする。
【００３２】
＜＜各種の方向＞＞
第１の実施の形態においては、着物用ハンガー１００が、吊り下げ部材に掛けられ、重力によって安定した姿勢になった状態（以下、基本状態と称する。）での各種の方向を規定する。まず、「下方向」とは、着物を吊り下げたときに重量の作用によって着物が下がる方向（鉛直方向）であり、「上方向」とは、下向きとは逆向きの方向である。また、「水平方向」とは、鉛直に対して直角に交わる方向である。以下では、この着物用ハンガー１００が基本状態となっているものとして、基本状態における各種の方向を用いて説明する。着物用ハンガー１００の姿勢によって方向は、変わるものであり、着物用ハンガー１００の構成は、前述した各種の方向に限定されるものではない。なお、着物用ハンガー１００を着物に装着する作業をする際には（後述する図８〜図１０参照）、着物用ハンガー１００は、基本状態とは異なる状態となる。
【００３３】
＜＜着物＞＞
また、本明細書においては、「着物」とは、黒留袖や小紋や浴衣などを含む一般的な長着をいう。さらに、この長着と、帯や小物とを「和服」という。すなわち、ここでは、「着物」とは、長着であり狭い意味での和服とする。なお、第１の実施の形態による着物用ハンガー１００には、帯の他に、帯揚げや帯締めなどの小物も吊り下げて収納することができる。
【００３４】
＜＜＜第１の実施の形態による着物用ハンガー１００の構成＞＞＞
着物用ハンガー１００は、主に、フック部１１０と、外枠部１３０と、上側吊り下げ杆１５０と、第１の下側吊り下げ杆１６０ａと、第２の下側吊り下げ杆１６０ｂとを有する。第１の実施の形態では、フック部１１０及び外枠部１３０は、予め一体に形成されて準備され、上側吊り下げ杆１５０と第１の下側吊り下げ杆１６０ａ及び第２の下側吊り下げ杆１６０ｂとは、フック部１１０及び外枠部１３０とは別体に準備される。上側吊り下げ杆１５０と第１の下側吊り下げ杆１６０ａ及び第２の下側吊り下げ杆１６０ｂとが外枠部１３０に接合されることで、最終的に着物用ハンガー１００として一体的に形成される。接合は、溶接などのほか、接着剤などによるものでもよく、着物用ハンガー１００を一体に形成できるものであればよい。
【００３５】
また、着物用ハンガー１００は、全体として、単一の平面ＰＬ内（図３〜図６参照）に含まれるように形成される。すなわち、着物用ハンガー１００は、全体として、扁平な形状を有する。したがって、着物用ハンガー１００を使用しないような場合であっても、複数の着物用ハンガー１００を互いに隣接させて重ね合わせて保管することができ、省スペース化を図ることができる。なお、第１の下側吊り下げ杆１６０ａ及び第２の下側吊り下げ杆１６０ｂは、ともに、水平方向に平面ＰＬから長さΔＬ（図４及び図５参照）だけ離隔した位置に配置される。第１の下側吊り下げ杆１６０ａと第２の下側吊り下げ杆１６０ｂとの間の距離（＝２×ΔＬ）は、たたまれた状態の着物（後述する図８（ｂ）参照）の厚みよりも長ければよい。このように、全体的には、第１の下側吊り下げ杆１６０ａ及び第２の下側吊り下げ杆１６０ｂも、平面ＰＬ内に含まれると解することができる程度に近接して配置される。
【００３６】
着物用ハンガー１００は、全体として、一定の太さを有する長尺で細い円柱状の金属体によって構成される。金属体は、着物を十分に支持することができるように、ある程度の太さ（例えば、４ｍｍ以上８ｍｍ以下）を有しかつ鉄などの剛性の高いものにするのが好ましい。さらに、錆びなどが生じないように、めっき加工などの表面加工が施されているのがより好ましい。また、軽量化しかつ剛性を高め耐久性を向上させるために、ステンレスなどで形成してもよい。
【００３７】
＜＜フック部１１０＞＞
フック部１１０は、一定の太さを有する長尺で細い円柱状の金属体を所望の形状に湾曲させたり屈曲されたりすることで形成される。フック部１１０は、係合用湾曲部１１２と検出用直線状部１２０とを有する。フック部１１０は、後述する上側吊り下げ杆１５０や第１の下側吊り下げ杆１６０ａや第２の下側吊り下げ杆１６０ｂの長手方向（基本状態での水平方向（図１及び図２の矢印ＬＤ参照））の略中央に位置する。
【００３８】
＜係合用湾曲部１１２＞
係合用湾曲部１１２は、略Ｃ字状や略Ｕ字状の形状を有する。例えば、係合用湾曲部１１２の内径側の曲率半径Ｒ（図２参照）は、１５ｍｍ以上５０ｍｍ以下であるのが好ましい。このようにすることで、着物用ハンガー１００を太いポールにも吊り下げることができる。係合用湾曲部１１２は、開放端部１１４と接続部１１６とを有する。係合用湾曲部１１２は、開放端部１１４と接続部１１６と後述する検出用直線状部１２０との間に開口部１１８を有する。開口部１１８は、上側吊り下げ杆１５０や、後述する上側吊り下げ杆１５０の開放端１５２や、第１の下側吊り下げ杆１６０ａの開放端１６２ａや、第２の下側吊り下げ杆１６０ｂの開放端１６２ｂに向って開放されるように形成されている。開口部１１８を介して、係合用湾曲部１１２を吊り下げ部材に掛止することで、着物用ハンガー１００を掛けることができる。係合用湾曲部１１２の形状は、略Ｃ字状や略Ｕ字状などに限られず、吊り下げ部材に掛止できる形状であればよい。
【００３９】
＜検出用直線状部１２０＞
検出用直線状部１２０は、長尺で細い略円柱状の形状（直線に沿った形状）を有する。検出用直線状部１２０は、係合用湾曲部１１２の接続部１１６で係合用湾曲部１１２と接続されて一体に形成される。さらに、検出用直線状部１２０は、直角に湾曲する形状の接続部１２２を有する。検出用直線状部１２０と後述する外枠部１３０の水平枠体部１３２とのなす角は略９０度である。接続部１２２は丸みを有して形成され、着物を損傷させることがない。
【００４０】
基本状態のときに、検出用直線状部１２０は、接続部１１６から下方向に向かって（鉛直方向に）延在し、接続部１２２は、開放端部１１４よりも下方に位置する。このように構成したことにより、開放領域ＯＲ（図１及び図２参照）を形成することができ、検出用直線状部１２０を開放することができ、係合用湾曲部１１２によって妨げられることなく開放された状態を維持することができる。すなわち、検出用直線状部１２０は、後述する上側吊り下げ杆１５０の開放端１５２側に開放されている。
【００４１】
＜＜外枠部１３０＞＞
外枠部１３０は、一定の太さを有する長尺で細い金属体によって構成される。外枠部１３０は、長尺な金属体を所望の形状に湾曲させることによって形成される。金属は、着物を十分に支持することができる鉄などの剛性の高いものにするのが好ましい。なお、錆びなどが生じないように、めっき加工などの表面加工が施されていてもよい。
【００４２】
外枠部１３０は、水平枠体部１３２と鉛直枠体部１３６とを有する。水平枠体部１３２及び鉛直枠体部１３６は、一体的に形成される。水平枠体部１３２及び鉛直枠体部１３６は、長尺で細い略円柱状の形状（直線に沿った形状）を有する。水平枠体部１３２及び鉛直枠体部１３６は、後述する接続部１３４を介して接続されている。接続部１３４は、略直角に湾曲する形状を有しており、水平枠体部１３２と鉛直枠体部１３６とのなす角は略９０度である。接続部１３４は丸みを有して形成され、着物を損傷させることがない。
【００４３】
＜水平枠体部１３２＞
水平枠体部１３２は、接続部１２２でフック部１１０と接続する。水平枠体部１３２は、基本状態で水平方向に沿って配置される。前述したように、接続部１２２は、直角に湾曲する形状を有しており、水平枠体部１３２を水平方向に配置することで、前述した検出用直線状部１２０を鉛直方向に配置することができる。
【００４４】
＜検出用直線状部１２０の機能＞
前述したように、着物用ハンガー１００は開放領域ＯＲを有しており、検出用直線状部１２０は、上側吊り下げ杆１５０の開放端１５２に向かって開放されている。着物用ハンガー１００を吊り下げ部材に掛ける作業の際には（図１２（ａ）参照）、作業者は、検出用直線状部１２０を吊り下げ部材（クローゼットや洋箪笥などに水平方向に延設されたパイプなど）に積極的に接触させることができる（図１２（ｂ）参照）。作業者は、検出用直線状部１２０によって、吊り下げ部材との接触状態から吊り下げ部材の存在や位置を検出することができ、吊り下げ部材が存在する位置に応じて、着物用ハンガー１００の位置を調節することで、着物用ハンガー１００を吊り下げ部材に掛けやすくできる（図１２（ｃ）参照）。このように、検出用直線状部１２０を検出用部材として機能させることで、クローゼットや洋箪笥などの内部が暗く視認性が悪いような状況においても、着物用ハンガー１００を吊り下げ部材に的確に掛けることができ、着物に皺を寄せたり、着物を汚損させたり損傷させたりすることを防止することができる。
【００４５】
＜検出用直線状部１２０の長さ＞
検出用直線状部１２０の長さＤＬ（図２参照）は、係合用湾曲部１１２の高さＦＨ（図２参照）と同じであるか、又は係合用湾曲部１１２の高さＦＨよりも長いのが好ましい。また、検出用直線状部１２０の長さＤＬは、係合用湾曲部１１２の曲率半径Ｒの１倍以上３倍以下が好ましい。なお、係合用湾曲部１１２の高さＦＨは、開放端部１１４と頂点１１７との長さである。検出用直線状部１２０の長さＤＬを、このようにすることで、検出部材として長さを確保することができ、吊り下げ部材の存在や位置を的確に検出することができる。
【００４６】
＜水平枠体部１３２の向き＞
また、水平枠体部１３２を水平方向に配置したので、フック部１１０を後述する上側吊り下げ杆１５０に近づけることができ、着物用ハンガー１００の全体を小型化することができる。なお、水平枠体部１３２の配置及び機能については、後で詳述する。
【００４７】
＜鉛直枠体部１３６＞
水平枠体部１３２は、直角に湾曲する形状の接続部１３４を有する。接続部１３４を介して、鉛直枠体部１３６が水平枠体部１３２に接続されている。鉛直枠体部１３６は、基本状態で、鉛直方向に沿って配置される。
【００４８】
前述したように、フック部１１０（係合用湾曲部１１２及び検出用直線状部１２０）並びに外枠部１３０（水平枠体部１３２及び鉛直枠体部１３６）は、予め一体に形成されて準備されている。具体的には、一定の太さを有する長尺で細い金属体を所望する形状に湾曲させたり屈曲させたりすることで、フック部１１０及び外枠部１３０を一体に形成することができる。
【００４９】
＜上側吊り下げ杆１５０＞
前述した鉛直枠体部１３６には、上側吊り下げ杆１５０が接続されている。上側吊り下げ杆１５０は、一定の太さを有する長尺な金属体からなり、長尺で細い円柱状の形状（直線に沿った形状）を有する。上側吊り下げ杆１５０は、鉛直枠体部１３６の中央部１４０からフック部１１０側に延出し、水平枠体部１３２と平行に延在する。上側吊り下げ杆１５０は、開放端１５２を有する。開放端１５２は、丸みを有し、着物の生地が接触しても損傷させることがない。上側吊り下げ杆１５０は、水平枠体部１３２よりも長く、水平枠体部１３２の２倍程度（２倍以上３倍以下の長さ）の長さを有する。上側吊り下げ杆１５０は、別体に準備され、鉛直枠体部１３６の中央部１４０に接合されることで一体化される。例えば、溶接などによって接合することができる。
【００５０】
＜第１の下側吊り下げ杆１６０ａ及び第２の下側吊り下げ杆１６０ｂ＞
鉛直枠体部１３６の下端部１３８には、第１の下側吊り下げ杆１６０ａ及び第２の下側吊り下げ杆１６０ｂが接続されている。第１の下側吊り下げ杆１６０ａ及び第２の下側吊り下げ杆１６０ｂは、一定の太さを有する長尺な金属体をＵ字状に湾曲させて形成されている。第１の下側吊り下げ杆１６０ａ及び第２の下側吊り下げ杆１６０ｂは、別体に準備され、鉛直枠体部１３６の下端部１３８に湾曲部分が接合されることで一体化される。例えば、溶接などによって接合することができる。
【００５１】
第１の下側吊り下げ杆１６０ａ及び第２の下側吊り下げ杆１６０ｂは、長尺で細い円柱状の形状（直線に沿った形状）を有し、下端部１３８からフック部１１０側に延出し、水平枠体部１３２と平行に延在する。第１の下側吊り下げ杆１６０ａは、開放端１６２ａを有し、第２の下側吊り下げ杆１６０ｂは、開放端１６２ｂを有する。第１の下側吊り下げ杆１６０ａ及び第２の下側吊り下げ杆１６０ｂは、上側吊り下げ杆１５０と同じ長さを有する。すなわち、第１の下側吊り下げ杆１６０ａ及び第２の下側吊り下げ杆１６０ｂは、水平枠体部１３２よりも長く、水平枠体部１３２の２倍程度（２倍以上３倍以下の長さ）の長さを有する。第１の下側吊り下げ杆１６０ａ及び第２の下側吊り下げ杆１６０ｂは、一定の間隔を有して互いに平行に水平方向に沿って並置されている。
【００５２】
第１の下側吊り下げ杆１６０ａと第２の下側吊り下げ杆１６０ｂとの間隔（＝２×ΔＬ）（図４及び図５参照）は、折りたたまれた着物が円滑に挿入できる程度であればよい。例えば、着物の厚みの１０倍〜２０倍程度の間隔であればよい。具体的には、第１の下側吊り下げ杆１６０ａと第２の下側吊り下げ杆１６０ｂとの間隔（＝２×ΔＬ）は、１０ｍｍ以上３０ｍｍ以下が好ましい。また、第１の下側吊り下げ杆１６０ａと第２の下側吊り下げ杆１６０ｂとの間隔（＝２×ΔＬ）は、第１の間隔ＶＤ１及び第２の間隔ＶＤ２の１／４〜１／２程度が好ましい。このようにすることで、折りたたまれた状態の着物を第１の下側吊り下げ杆１６０ａと第２の下側吊り下げ杆１６０ｂとの間に円滑に挿入することができるとともに、実質的に、着物用ハンガー１００が、単一の平面ＰＬ（図３〜図６参照）に含まれるようにできる。
【００５３】
＜被覆体１７０＞
上側吊り下げ杆１５０、第１の下側吊り下げ杆１６０ａ、第２の下側吊り下げ杆１６０ｂの表面の全体（全面）、及び鉛直枠体部１３６の表面の一部には、被覆体１７０が被覆されている。被覆体１７０は、厚さが一定でムラなく均一に形成されている。すなわち、着物を接触する可能性がある部分に被覆体１７０が被覆されている。被覆体１７０は、塩化ビニールなどの材料にすることができる。上側吊り下げ杆１５０、第１の下側吊り下げ杆１６０ａ、第２の下側吊り下げ杆１６０ｂ及び鉛直枠体部１３６に塩化ビニールを塗布することで、被覆体１７０を形成することができる。なお、塩化ビニールの塗布後の乾燥温度を適切にすることで、経時変化を小さくし耐久性を向上させることができる。
【００５４】
被覆体１７０は、着物の生地との摩擦係数を高めることができる材料であればよい。また、被覆体１７０は、長期に亘って、材質が経時変化しないものが好ましい。さらに、被覆体１７０は、着物の繊維から色移りしない材料が好ましい。なお、被覆体１７０の色を白色にすることで、色移りしたことを使用者に容易に気付かせやすくできる。さらに、被覆体１７０は、耐久性を有するものが好ましい。被覆体１７０が、腐食したり破損したりすることがなく、被覆体１７０によって、着物を汚損させることを防止することができる。
【００５５】
＜水平枠体部１３２、上側吊り下げ杆１５０、第１の下側吊り下げ杆１６０ａ、第２の下側吊り下げ杆１６０ｂの配置＞
前述した水平枠体部１３２と、上側吊り下げ杆１５０と、第１の下側吊り下げ杆１６０ａと、第２の下側吊り下げ杆１６０ｂとは、全て、長尺で細い円柱状の形状（直線に沿った形状）を有する部材であり、鉛直枠体部１３６に接続され、鉛直枠体部１３６に対して垂直に、かつ、鉛直枠体部１３６から同一の方向に向かって延在する。したがって、水平枠体部１３２と、上側吊り下げ杆１５０と、第１の下側吊り下げ杆１６０ａと、第２の下側吊り下げ杆１６０ｂとの４本の円柱状の形状を有する部材は、全て互いに平行に配置される。
【００５６】
＜水平枠体部１３２の配置及び機能＞
前述したように、水平枠体部１３２は、上側吊り下げ杆１５０などと平行に配置される。このように、水平枠体部１３２を配置することで、水平枠体部１３２に接続されるフック部１１０も上側吊り下げ杆１５０に近づけた配置にすることができ、着物用ハンガー１００を全体的に小型化することができる。着物用ハンガー１００を小型化することで、複数の着物用ハンガー１００を単独で保管するような場合に省スペース化を図ることができる。
【００５７】
また、水平枠体部１３２を、上側吊り下げ杆１５０などと平行に配置することで、フック部１１０と、上側吊り下げ杆１５０並びに第１の下側吊り下げ杆１６０ａ及び第２の下側吊り下げ杆１６０ｂとの間の長さを短くすることできる。すなわち、鉛直方向の着物用ハンガー１００のサイズを全体的に小さくできる。このように着物用ハンガー１００の鉛直方向の全体的なサイズを小さくしたことにより、着物を着物用ハンガー１００に吊り下げたときの重心とフック部１１０との間の距離を短くでき、着物を吊り下げる作業の際に、着物が揺れた場合であっても、減衰振動の減衰比を大きくできるため、短時間で振幅を小さくして着物の揺れを収束させることができる。したがって、店舗などで、複数枚の着物を次々にハンガーラックなどに吊り下げる作業をする場合において、短時間で揺れが収束するので、揺れが収まるまで待ったり、手で揺れを押えたりする必要がなくなり、作業を迅速に済ませることができ作業の効率を向上させることができる。
【００５８】
さらに、前述したように、着物用ハンガー１００の外枠部１３０の接続部１３４は、フック部１１０に近い位置にあるため、着物用ハンガー１００を若干傾けることで、クローゼットやタンスなどの天面や天面など（以下、天面と称する。）に接続部１３４を当接させやすくできる（図１３参照）。このため、着物をハンガーラックなどのポールに吊り下げる作業の際に、図１３に示すように、接続部１３４を天面に当接させた状態にすることで着物用ハンガー１００を一定の姿勢に保ちやすくできる。このように、接続部１３４を天面に当接させて着物用ハンガー１００をハンガーラックなどのポールに近づけることで、着物用ハンガー１００に吊り下げた着物の状態を一定にして、着物が揺れたり変形したりすることを防止して、ハンガーラックなどに掛けることができ、着物に皺が寄ったり、たたんだ状態が崩れたり、着物が着物用ハンガー１００から外れたりすることを防止して、着物を収納することができる。また、着物用ハンガー１００を接続部１３４によって案内させることができるので、着物の収納の作業性を高めることができる。
【００５９】
なお、接続部１３４を天面に当接させた場合には、着物用ハンガー１００が傾いた状態となり、吊り下げた着物も傾いた状態となるが、前述したように、水平枠体部１３２を上側吊り下げ杆１５０などと平行に配置しており、フック部１１０が外枠部１３０の接続部１３４にも近づけた配置であるため、着物の傾きは小さい範囲で収まり、着物用ハンガー１００に吊り下げた着物の状態を一定に保つことができる。
【００６０】
さらにまた、着物用ハンガー１００を着物に取り付ける際には、後述する図８〜図１０に示すように、第１の下側吊り下げ杆１６０ａを左袖に進入させ、第２の下側吊り下げ杆１６０ｂを右袖に進入させつつ、上側吊り下げ杆１５０と水平枠体部１３２との間隙に着物の後身頃を挿入させる。すなわち、上側吊り下げ杆１５０を後身頃の上側に位置づけ、フック部１１０を後身頃の下側に位置づけて、着物用ハンガー１００を着物に向かって移動させる。前述したように、水平枠体部１３２が、上側吊り下げ杆１５０に対して平行となるように形成したので、着物用ハンガー１００を着物に向かって移動させるときには、後身頃は、水平枠体部１３２によって案内されて上側吊り下げ杆１５０に近づくように導くことができる（図８（ｂ）及び図９（ａ）参照）。したがって、着物用ハンガー１００を移動し終わったときには（図９（ａ）参照）、後身頃を上側吊り下げ杆１５０から離隔することなく密着させた状態にすることができ、上側吊り下げ杆１５０を基準にして後身頃を折りたたむことができ（図９（ｂ）参照）、着物に皺を寄せたり損傷させたりすることなく折りたたむことができ、作業性及び再現性を高くして本だたみの状態で着物を着物用ハンガー１００に装着することができる。
【００６１】
また、前述したように、上側吊り下げ杆１５０、第１の下側吊り下げ杆１６０ａ及び第２の下側吊り下げ杆１６０ｂの全面に被覆体１７０が形成されているが、水平枠体部１３２には、被覆体１７０が形成されていない。このため、着物の生地と水平枠体部１３２との間の摩擦係数を小さくでき、着物は、水平枠体部１３２の表面を円滑に移動することができる。着物用ハンガー１００を着物に向かって移動させるときに、水平枠体部１３２は、後身頃を円滑に案内して上側吊り下げ杆１５０に近づくように導けることができる（図８（ｂ）及び図９（ａ）参照）。
【００６２】
＜上側吊り下げ杆１５０、第１の下側吊り下げ杆１６０ａ、第２の下側吊り下げ杆１６０ｂの長さ＞
上側吊り下げ杆１５０並びに第１の下側吊り下げ杆１６０ａ及び第２の下側吊り下げ杆１６０ｂは、同じ長さ（例えば、３４５ｍｍなど）を有し、全て、鉛直枠体部１３６からフック部１１０側に延出する。したがって、上側吊り下げ杆１５０の開放端１５２と、第１の下側吊り下げ杆１６０ａの開放端１６２ａと、第２の下側吊り下げ杆１６０ｂの開放端１６２ｂとは、水平方向の同じ位置に位置づけられる。上側吊り下げ杆１５０並びに第１の下側吊り下げ杆１６０ａ及び第２の下側吊り下げ杆１６０ｂの長さは、着物を本だたみした状態における着物の幅（例えば、３４５ｍｍ〜３７０ｍｍ程度）と同じであるか、又は若干短くするのが好ましい。このようにすることで、開放端１６２ａ及び開放端１６２ｂが、袖丸みに干渉することがなく、袖に皺が形成されることなく着物を吊るすことができる。さらに、上側吊り下げ杆１５０の長さ並びに第１の下側吊り下げ杆１６０ａの長さ及び第２の下側吊り下げ杆１６０ｂの長さは、着物の幅よりも長くするのが好ましい。このようにすることで、指が着物に干渉することがなく、着物に皺を形成することなく着物を吊るすことができる。
【００６３】
＜水平枠体部１３２と上側吊り下げ杆１５０との間隔、上側吊り下げ杆１５０と第１の下側吊り下げ杆１６０ａ及び第２の下側吊り下げ杆１６０ｂとの間隔＞
水平枠体部１３２と上側吊り下げ杆１５０との間の鉛直方向に沿った第１の間隔ＶＤ１と、上側吊り下げ杆１５０と第１の下側吊り下げ杆１６０ａ及び第２の下側吊り下げ杆１６０ｂとの間の鉛直方向に沿った第２の間隔ＶＤ２（図２参照）とは、略同じである（例えば、２０ｍｍ以上４０ｍｍ以下など）。第１の間隔ＶＤ１及び第２の間隔ＶＤ２は、人間の指が１本以上入る程度が好ましい。
【００６４】
鉛直枠体部１３６の上側を上側把持部ＧＰ１とし下側を下側把持部ＧＰ２として、上側把持部ＧＰ１及び下側把持部ＧＰ２に作業者の指を２本ずつ巻きつけることで、作業者は、着物用ハンガー１００を安定的に保持することができ、着物用ハンガー１００を吊り下げ部材に的確に掛けることができ、作業性を高めることができる。具体的には、第１の間隔ＶＤ１及び第２の間隔ＶＤ２は、上側吊り下げ杆１５０、第１の下側吊り下げ杆１６０ａ及び第２の下側吊り下げ杆１６０ｂの長さの２０分の１以上かつ５分の１以下であるのが好ましい。この範囲にすることで、円滑に着物に着物用ハンガー１００を取り付けることができるとともに、上側把持部ＧＰ１及び下側把持部ＧＰ２を的確に把持することができ、容易かつ安定して、着物用ハンガー１００を吊り下げ部材に吊り下げることができる。
【００６５】
＜上側吊り下げ杆１５０、第１の下側吊り下げ杆１６０ａ、第２の下側吊り下げ杆１６０ｂの太さ＞
上側吊り下げ杆１５０の太さと、第１の下側吊り下げ杆１６０ａの太さと、第２の下側吊り下げ杆１６０ｂの太さとは、同じである。また、これらの太さは、長手方向の位置によることなく、一定である。したがって、上側吊り下げ杆１５０は、鉛直枠体部１３６との接合部から開放端１５２に至るまで、円柱状の形状を有し、凹凸は形成されておらず太さが変化する箇所はない。同様に、第１の下側吊り下げ杆１６０ａは、鉛直枠体部１３６との接合部から開放端１６２ａに至るまで、円柱状の形状を有し、凹凸は形成されていない。第２の下側吊り下げ杆１６０ｂも、鉛直枠体部１３６との接合部から開放端１６２ｂに至るまで、円柱状の形状を有し、凹凸は形成されていない。
【００６６】
したがって、上側吊り下げ杆１５０と、第１の下側吊り下げ杆１６０ａと、第２の下側吊り下げ杆１６０ｂとのいずれにも、滑り止めなどの部材も取り付けられていない。例えば、上側吊り下げ杆１５０の開放端１５２や、第１の下側吊り下げ杆１６０ａの開放端１６２ａや、第２の下側吊り下げ杆１６０ｂの開放端１６２ｂにも、吊るした着物がずれたり外れたりしないようにするためなどの滑り止めなどの部材は取り付けられていない。このようにすることで、円滑に着物に着物用ハンガー１００を取り付けることができる。
【００６７】
なお、前述したように、上側吊り下げ杆１５０、第１の下側吊り下げ杆１６０ａ、第２の下側吊り下げ杆１６０ｂの全面には、均一に被覆体１７０が被覆されており、被覆体１７０が被覆された状態においても、上側吊り下げ杆１５０、第１の下側吊り下げ杆１６０ａ、第２の下側吊り下げ杆１６０ｂの太さは、一定である。
【００６８】
＜上側吊り下げ杆１５０と、第１の下側吊り下げ杆１６０ａ及び第２の下側吊り下げ杆１６０ｂとの分離＞
第１の実施の形態による着物用ハンガー１００では、着物用ハンガー１００を使って着物を吊り下げた状態（基本状態）のときに、上側に１本の上側吊り下げ杆１５０が位置し、下側に第１の下側吊り下げ杆１６０ａ及び第２の下側吊り下げ杆１６０ｂが位置する。図１１に示すように、上側吊り下げ杆１５０には後身頃が係合され、第１の下側吊り下げ杆１６０ａには、着物の左袖の振り部分が係合され、第２の下側吊り下げ杆１６０ｂには、着物の右袖の振りの部分が係合される。このように、着物の重さを分散させて着物を吊り下げることができ、着物が着物用ハンガー１００で滑動することなく安定させて着物用ハンガー１００に吊り下げることができる。
【００６９】
＜＜＜第１の実施の形態による着物用ハンガー１００の使用＞＞＞
前述したように、第１の実施の形態による着物用ハンガー１００は、着物を本だたみしながら着物用ハンガー１００を取り付け、本だたみされた着物を吊り下げるためのものである。以下では、図７〜図１１を用いて、着物用ハンガー１００を着物に取り付け、本だたみされた状態で着物を吊り下げる作業について説明する。
【００７０】
＜＜着物の本だたみの過程＞＞
まず、着物の本だたみの過程について図７（ａ）〜図７（ｅ）を用いて簡単に説明する。図７（ａ）に示すように、衿肩あきを図面の左側にして平らに広げ、下前身頃の脇縫いを折り、右おくみを衿肩あきから裾まで折り返す。次に、図７（ｂ）に示すように、衿の肩山のところから斜めに中に折り込んで、衿を合わせる。図７（ｃ）に示すように、上前脇縫いを下前の脇に重ねて、背縫いを揃えて折る。図７（ｄ）に示すように、左袖を、袖付け線から折り、左後身頃の上に重ねる。図７（ｅ）に示すように、右袖を、袖付け線から折り、右前身頃の下に重ねる。このように、着物を本だたみで折りたたむことで長尺な長方形状の形状にすることができる。
【００７１】
＜＜着物用ハンガー１００の装着＞＞
以下では、図７（ｅ）に示すように、着物は、右袖が下側に折りたたまれ、左袖が上側に折りたたまれた状態で、机などの台や、畳や床などに置かれているものとする。
【００７２】
まず、図８（ａ）に示すように、第１の下側吊り下げ杆１６０ａの開放端１６２ａが左袖の振りに向かい、第２の下側吊り下げ杆１６０ｂの開放端１６２ｂが右袖の振りに向かい、上側吊り下げ杆１５０の開放端１５２とフック部１１０とが後身頃に向かうように着物用ハンガー１００を位置づける。
【００７３】
次に、図８（ｂ）に示すように、第１の下側吊り下げ杆１６０ａが左袖の振りに入り込み、第２の下側吊り下げ杆１６０ｂが右袖の振りに入り込み、上側吊り下げ杆１５０が後身頃の上側に位置し、フック部１１０が右後身頃の下側に位置するように着物用ハンガー１００を移動させる。
【００７４】
次に、図９（ａ）に示すように、第１の下側吊り下げ杆１６０ａの開放端１６２ａが左袖の袖口下の袖丸みに至るまで、第２の下側吊り下げ杆１６０ｂの開放端１６２ｂが右袖の袖口下の袖丸みに至るまで、上側吊り下げ杆１５０の開放端１５２が背縫いに近づくまで、着物用ハンガー１００を移動させる。
【００７５】
次に、図９（ｂ）に示すように、上側吊り下げ杆１５０を境にして後身頃を右袖側及び左袖側に向けて移動させて、上側吊り下げ杆１５０の位置で着物（後身頃）を折り曲げる。
【００７６】
次に、図１０に示すように、後身頃が右袖及び左袖の上側に重なるように後身頃の位置を調整する。このようにして、着物用ハンガー１００を着物に装着した状態で、本だたみをすることができる。
【００７７】
図１１に示すように、本だたみされた着物が取り付けられた着物用ハンガー１００を、吊り下げ部材にそのまま掛けることで、着物用ハンガー１００を用いて、着物が本だたみされた状態を維持してクローゼットや洋箪笥などに収納することができる。
【００７８】
このように、第１の実施の形態による着物用ハンガー１００を用いることによって、着物を本だたみしつつ（着物を本だたみする過程で）、着物用ハンガー１００に着物に取り付けることでき、さらに、本だたみされた状態で、着物をクローゼットや洋箪笥などに収納することができる。
【００７９】
また、着物用ハンガー１００に着物を吊り下げた状態で収納するので、着物の自重によって着物の生地が伸張し、着物に皺が生じた場合であっても皺が取れやすい状態にして収納することができる。
【００８０】
さらに、従前では、複数枚の着物を着物をたたんだ後に重ねた状態にして和箪笥などに収納していた。複数枚の着物をたたんで重ねた状態にすると、上側に置かれた着物の重みによって下側に置かれた着物に、折り皺が形成されやすかった。しかしながら、第１の実施の形態による着物用ハンガー１００を用いた場合には、複数枚の着物を収納する場合であっても、着物を上下に重ねることなく収納することができるので、折り皺が形成されることを防止することができる。
【００８１】
＜＜＜＜第２の実施の形態の詳細＞＞＞＞
以下に、第２の実施の形態について図面に基づいて説明する。
第１の実施の形態の詳細では、ある程度の重さのある一般的な着物を吊り下げるために用いる着物用ハンガー１００であった。しかしながら、浴衣などの軽量な着物を吊り下げるには、もう少し簡略化することができる。第２の実施の形態による着物用ハンガー２００は、浴衣などのある程度軽量な着物を吊り下げるための着物用ハンガーである。
【００８２】
第１の実施の形態による着物用ハンガー１００と第２の実施の形態による着物用ハンガー２００との相違は、上側吊り下げ杆１５０の有無である。第２の実施の形態による着物用ハンガー２００では、上側吊り下げ杆１５０が存在しない。上側吊り下げ杆１５０が存在しないため、着物用ハンガー２００では、着物用ハンガー１００の鉛直枠体部１３６よりも短い鉛直枠体部２３６を有する。その他は、第１の実施の形態による着物用ハンガーと同様の構成であり、同一の符号を付した。
【００８３】
図１４は、第２の実施の形態による着物用ハンガーの全体を示す斜視図であり、図１に対応する。図１５は、第２の実施の形態による着物用ハンガーの全体を示す正面図であり、図２に対応する。図１６は、第２の実施の形態による着物用ハンガーの全体を示す平面図であり、図３に対応する。図１７は、第２の実施の形態による着物用ハンガーの全体を示す底面図であり、図４に対応する。図１８は、第２の実施の形態による着物用ハンガーの全体を示す左側面図であり、図５に対応する。図１９は、第２の実施の形態による着物用ハンガーの全体を示す右側面図であり、図６に対応する。図２０は、第２の実施の形態による着物用ハンガーによって着物を吊り下げた状態を示す図であり、図１１に対応する。
【００８４】
第２の実施の形態による着物用ハンガー２００では、上側吊り下げ杆１５０が存在しない。このため、図２０に示すように、後身頃は、第１の下側吊り下げ杆１６０ａ及び第２の下側吊り下げ杆１６０ｂに吊り下げられる。浴衣などの軽量な着物の場合には、上側吊り下げ杆１５０に重さを分散させることなく、吊り下げることができる。着物用ハンガー２００の場合には、水平枠体部１３２は、第１の下側吊り下げ杆１６０ａ及び第２の下側吊り下げ杆１６０ｂのみと平行になる。
【００８５】
着物用ハンガー２００を着物に取り付ける際には、着物用ハンガー１００と同様にすることができる。第１の下側吊り下げ杆１６０ａを左袖に進入させ、第２の下側吊り下げ杆１６０ｂを右袖に進入させつつ、第１の下側吊り下げ杆１６０ａ及び第２の下側吊り下げ杆１６０ｂと水平枠体部１３２との間隙に着物の後身頃を挿入させる。すなわち、フック部１１０を後身頃の下側に位置づけて、着物用ハンガー１００を着物に向かって移動させる。前述したように、水平枠体部１３２が、第１の下側吊り下げ杆１６０ａ及び第２の下側吊り下げ杆１６０ｂに対して平行となるように形成したので、着物用ハンガー１００を着物に向かって移動させるときには、後身頃は、水平枠体部１３２によって案内されて第１の下側吊り下げ杆１６０ａ及び第２の下側吊り下げ杆１６０ｂに近づくように導くことができる。したがって、着物用ハンガー１００を移動し終わったときには、後身頃を第１の下側吊り下げ杆１６０ａ及び第２の下側吊り下げ杆１６０ｂから離隔することなく密着させた状態にすることができ、第１の下側吊り下げ杆１６０ａ及び第２の下側吊り下げ杆１６０ｂを基準にして後身頃を折りたたむことができ、着物に皺を寄せたり損傷させたりすることなく折りたたむことができ、作業性及び再現性を高くして本だたみの状態で着物を着物用ハンガー１００に装着することができる。
【００８６】
＜＜＜＜変形例＞＞＞＞
＜＜＜変形例１＞＞＞
前述した例では、フック部１１０と外枠部１３０とが、予め一体に形成されて準備された構成を示したが、フック部１１０と外枠部１３０とが別体に準備され、接合されて一体化するものでもよい。
【００８７】
＜＜＜変形例２＞＞＞
また、前述した例では、第１の下側吊り下げ杆１６０ａ及び第２の下側吊り下げ杆１６０ｂが、予め一体に形成されて準備された構成を示したが、第１の下側吊り下げ杆１６０ａ及び第２の下側吊り下げ杆１６０ｂが別体に準備され、接合されて一体化するものでもよい。
【００８８】
＜＜＜変形例３＞＞＞
さらに、フック部１１０と外枠部１３０と上側吊り下げ杆１５０とを一体に成形して準備し、第１の下側吊り下げ杆１６０ａ及び第２の下側吊り下げ杆１６０ｂを一体に成形して準備して、これらを接合して一体化するものでもよい。
【００８９】
＜＜＜変形例４＞＞＞
さらに、着物用ハンガー１００又は着物用ハンガー２００の全体を、樹脂などによって一体的に形成するものでもよい。接合する工程を省くことができ、製造工程を簡素にできる。
【００９０】
＜＜＜変形例５＞＞＞
前述した例では、被覆体１７０として塩化ビニールを用いたが、着物が着物用ハンガー１００からずれたり外れたりしなければよく、シリコンゴムやナイロンやウレタンなどを上側吊り下げ杆１５０並びに第１の下側吊り下げ杆１６０ａ及び第２の下側吊り下げ杆１６０ｂに挿入してもよい。このように、別体で準備した部材を着脱可能に設けてもよい。シリコンゴムやナイロンやウレタンなどは、長尺な管状の形状を有し、上側吊り下げ杆１５０並びに第１の下側吊り下げ杆１６０ａ及び第２の下側吊り下げ杆１６０ｂに挿入して取り付けることができる。また、シリコンゴムやナイロンやウレタンなどは、長尺なテープ状のものでもよい。上側吊り下げ杆１５０並びに第１の下側吊り下げ杆１６０ａ及び第２の下側吊り下げ杆１６０ｂに巻回することで取り付けることができる。さらに、一般的なスポンジテープなどを滑り止めに巻回しても、環状のゴムを巻回してもよい。
【００９１】
＜＜＜変形例６＞＞＞
前述した例では、上側吊り下げ杆１５０の太さや、第１の下側吊り下げ杆１６０ａの太さや、第２の下側吊り下げ杆１６０ｂの太さは、一定である場合を示したが、太さが単調に変化するものでもよい。例えば、上側吊り下げ杆１５０は、開放端１５２に向かって次第に太くなったり細くなったりするように構成したり、第１の下側吊り下げ杆１６０ａは、開放端１６２ａに向かって次第に太くなったり細くなったりするように構成したり、第２の下側吊り下げ杆１６０ｂは、開放端１６２ｂに向かって次第に太くなったり細くなったりするように構成したりすることができる。次第に細くした場合には、吊り下げた着物を着物用ハンガー１００や着物用ハンガー２００から容易に外すことができる。また、次第に太くした場合には、着物用ハンガー１００や着物用ハンガー２００から着物を外れにくくして安定して吊り下げることができる。
【００９２】
＜＜＜変形例７＞＞＞
また、前述した例では、上側吊り下げ杆１５０、第１の下側吊り下げ杆１６０ａ、第２の下側吊り下げ杆１６０ｂの表面に被覆体１７０を被覆した場合を示したが、被覆体１７０の替わりに、表面に凹凸を形成したものや、表面に突起を植設したものや、ナイロン素材などの立毛加工可能な素材を用いて表面をベルベットタッチ（ベルベット状）にしたものでもよい。上側吊り下げ杆１５０、第１の下側吊り下げ杆１６０ａ、第２の下側吊り下げ杆１６０ｂの表面は、着物との接触面積を大きくして着物が滑りにくくする処理や加工（滑動困難処理加工）がされたものであればよい。これに対して、水平枠体部１３２は、着物が接触したときに円滑に移動できるように滑りやすい処理や加工（滑動容易処理加工）がされたものであればよい。
【００９３】
＜＜＜変形例８＞＞＞
また、前述した例では、第１の下側吊り下げ杆１６０ａ及び第２の下側吊り下げ杆１６０ｂを、水平方向に平面ＰＬから長さΔＬだけ離隔した位置に配置する例を示したが、平面ＰＬに含まれる位置に配置してもよい。すなわち、フック部１１０及び外枠部１３０の下方に、第１の下側吊り下げ杆１６０ａ及び第２の下側吊り下げ杆１６０ｂが上下に並ぶように配置してもよい。第１の下側吊り下げ杆１６０ａ及び第２の下側吊り下げ杆１６０ｂが互いに離隔していれば、右袖又は左袖の一方ずつを係合させることができる。
【００９４】
＜＜＜変形例９＞＞＞
さらに、前述した例では、第１の下側吊り下げ杆１６０ａ及び第２の下側吊り下げ杆１６０ｂを、平面ＰＬに対して対称になる位置に配置する場合を示したが、平面ＰＬに対して非対称になる位置に配置してもよい。本だたみをしたときの後身頃の位置や重みなどに応じて着物を吊り下げた姿勢を積極的に傾けて、本だたみされたときの最終的なバランスを図って着物を吊り下げることができる。
【００９５】
＜＜＜＜その他＞＞＞＞
上述したように、本発明は、第１〜第２の実施の形態によって記載したが、この開示の一部をなす記載及び図面はこの発明を限定するものであると理解すべきでない。このように、本発明は、ここでは記載していない様々な実施の形態等を含むことはもちろんである。
【符号の説明】
【００９６】
１００  着物用ハンガー
１１０  フック部
１１２  係合用湾曲部
１２０  検出用直線状部
１３０  外枠部
１３２  水平枠体部
１３６  鉛直枠体部
１５０  上側吊り下げ杆
１６０ａ  第１の下側吊り下げ杆
１６０ｂ  第２の下側吊り下げ杆
２００  着物用ハンガー
ＯＲ  開放領域
【図１】
2020121191.tif 000003
【図２】
2020121191.tif 000004
【図３】
2020121191.tif 000005
【図４】
2020121191.tif 000006
【図５】
2020121191.tif 000007
【図６】
2020121191.tif 000008
【図７】
2020121191.tif 000009
【図８】
2020121191.tif 000010
【図９】
2020121191.tif 000011
【図１０】
2020121191.tif 000012
【図１１】
2020121191.tif 000013
【図１２】
2020121191.tif 000014
【図１３】
2020121191.tif 000015
【図１４】
2020121191.tif 000016
【図１５】
2020121191.tif 000017
【図１６】
2020121191.tif 000018
【図１７】
2020121191.tif 000019
【図１８】
2020121191.tif 000020
【図１９】
2020121191.tif 000021
【図２０】
2020121191.tif 000022